(57)【特許請求の範囲】
【請求項１】
物品が収納される少なくとも一列の収納列を有する主板と、
上記主板の相対向する一側に折目を介して連設された一方の側板および他方の側板と、
上記主板の相対向する他側または上記各側板の両端部に折目を介して連設された側壁とを備えた容器本体を設ける一方、
上記一方の側板および他方の側板には容器本体と別部材よりなる補強部材が一体的に設けられ、
上記補強部材を有する容器本体が組立時に容器となるよう樹脂板から展開状態に形成された容器構造において、
上記主板に、上記容器本体の組立時に容器内面となる側へ突出するように環状リブを設け、該環状リブの長手方向に略鋸歯状の凹凸部を一体形成して前記収容物品が収納される一列の収納列を形成し、
上記容器本体の組立時に対向する上記一方の側板と他方の側板との対向部に、上記主板の凹凸部におけるそれぞれの凹部と一致して前記収納物品に対応する区画部を等間隔に形成したことを特徴とする
容器構造。
【請求項２】
上記補強部材は一方の側板と他方の側板の長手方向に沿って連続して設けられた請求項１記載の容器構造。
【請求項３】
上記補強部材には複数のリブが一体形成された
請求項１または２記載の容器構造。
【請求項４】
上記一方の側板と他方の側板とには凸部が設けられ、
上記補強部材には上記凸部に装着する孔部が設けられ、
上記凸部を孔部に挿入し、孔部から突出した凸部を加圧変形させて側板に補強部材が一体的に取付けられた
請求項１，２または３記載の容器構造。
【発明の詳細な説明】
【０００１】
【発明の属する技術分野】
この発明は、タッチパネル、ＣＤ(コンパクトディスク)、ＦＤ(フロッピーディスク)、ＭＤ(磁気ディスク)やその他の収納物品を出し入れ可能に収納するような容器構造に関する。
【０００２】
【従来の技術】
従来、合成樹脂製の容器は図１２に示すように所定肉厚の樹脂平板９１から一度に有底箱形の容器９２に成形加工されていたが、成形時に樹脂が延ばされ、板厚が低下するので、容器９２の強度が弱くなるうえ、偏肉が発生し、また抜き勾配が必要不可欠となることは勿論、図示の如く容器９２は箱形に成形されるので、保管時および輸送時に嵩高くなって、これら保管、輸送コストが大となる問題点があった。
【０００３】
しかも、同図に示す容器構造においては容器９２を構成する側板９２ａ，９２ｂの強度が弱いので、充分な箱強度か確保できない問題点があった。
【０００４】
【発明が解決しようとする課題】
この発明は、主板、側板および側壁を組立時に容器となるように展開状態に形成することにより、抜き勾配が不要かつ偏肉の発生がなく、容器強度を確保することができ、また嵩張らないので保管、輸送コストの低減を図ることができ、しかも容器本体とは別部材の補強部材を側板に一体的に設けることで、側板の強度向上を図り、延いては充分な容器強度の向上を図ることができる容器構造の提供を目的とする。
【０００５】
【課題を解決するための手段】
この発明の容器構造は、物品が収納される少なくとも一列の収納列を有する主板と、上記主板の相対向する一側に折目を介して連設された一方の側板および他方の側板と、上記主板の相対向する他側または上記各側板の両端部に折目を介して連設された側壁とを備えた容器本体を設ける一方、上記一方の側板および他方の側板には容器本体と別部材よりなる補強部材が一体的に設けられ、上記補強部材を有する容器本体が組立時に容器となるよう樹脂板から展開状態に形成された容器構造において、上記主板に、上記容器本体の組立時に容器内面となる側へ突出するように環状リブを設け、該環状リブの長手方向に略鋸歯状の凹凸部を一体形成して前記収容物品が収納される一列の収納列を形成し、上記容器本体の組立時に対向する上記一方の側板と他方の側板との対向部に、上記主板の凹凸部におけるそれぞれの凹部と一致して前記収納物品に対応する区画部を等間隔に形成したことを特徴とする。
上記構成の補強部材は側板の長手方向に沿う連続構造のものであってもよく、或は長手方向に複数の分割された構造のものであってもよい。
【０００６】
上記構成により、保管時および輸送時には箱形に組立てない展開状態と成しておくことにより、嵩高くならないため、保管、輸送コストの低減を図ることができる。
また、樹脂板から一度に箱形に成形することなく、展開状態に形成するため、抜き勾配が不要で、かつ偏肉の発生がなくなる。
【０００７】
しかも、上述の一方の側板および他方の側板には容器本体とは別部材の補強部材を一体的に設けるので、この補強部材により側板の強度向上を図ることができ、延いては充分な容器強度の向上を図ることができる。
また上述の補強部材は容器本体とは別部材であるため、該補強部材の肉厚の設定および使用する材料の設定自由度が向上する。
【０００８】
さらに、主板の両側の折目を介して一方の側板および他方の側板を折曲げ、次いで折目を介して側壁を折曲げると、箱形の容器に組立てられるので、物品収納用の容器として用いることができる。
【０００９】
この発明の一実施態様においては、組立時に対向する上記一方の側板と他方の側板との対向部には収納物品に対応する区画部が形成されたものである。
上記構成により、区画部を両して物品を区画収納することができるのは勿論、この区画部がリブ(補強部)として作用するので、より一層良好な容器強度を確保することができる。
【００１０】
この発明の一実施態様においては、上記補強部材は一方の側板と他方の側板の長手方向に沿って連続して設けられたものである。
上記構成により、一方の側板は１つの補強部材で補強され、他方の側板は他の１つの補強部材で補強されるので、補強部材の使用数量低減を図りつつ、各側板の長手方向のほぼ全長を補強することができる。
【００１１】
この発明の一実施態様においては、上記補強部材には複数のリブが一体形成されたものである。
上記構成により、複数のリブによって補強部材それ自体の強度向上を図ることができるので、側板強度、容器強度および箱強度をさらに向上させることができる。
【００１２】
この発明の一実施態様においては、上記一方の側板と他方の側板とには凸部が設けられ、上記補強部材には上記凸部に装着する孔部が設けられ、上記凸部を孔部に挿入し、孔部から突出した凸部を加圧変形させて側板に補強部材が一体的に取付けられたものである。
上記構成により、凸部の加圧変形、所謂かしめ加工に側板と補強部材とを一体化することができるので、熱溶着や接着等の他の手段によることなく、これら両者(すなわち、側板と補強部材)の一体化が達成でき、また凸部と孔部とにより位置決めを行なうこともできるので、補強部材を所定位置に取付けることができる。
【００１３】
【実施例】
この発明の一実施例を以下図面に基づいて詳述する。
図面は熱可塑性樹脂製の容器構造を示し、図１、図２において、この容器構造は一例として板厚約０．７mmのＰＥＴの樹脂平板から成形によって図１に示す如く展開状態に形成されたもので、成形後の肉厚は約０．６５mmに設定されている。なお、上記数値は一例であって、これに限定されるものではない。
【００１４】
この容器構造(プラスチック容器構造)は、長方形状の主板１１と、この主板１１の長手方向に沿う一方の端部に折目ａを介して連設された一方の側板１２と、上記主板１１の長手方向に沿う他方の端部に折目ｂを介して連設された他方の側板１３と、上記主板１１の幅方向に沿う両端部に折目ｃ，ｃを介して連設された舌片１４，１４と、上記一方の側板１２の幅方向に沿う両端部に折目ｄ，ｄを介して連設された内側の側壁１５，１５(組立てた時に内側に位置する側壁)と、上記他方の側板１３の幅方向に沿う両端部に折目ｅ，ｅを介して連設された外側の側壁１６，１６(組立てた時に外側に位置する側壁)とを備えた容器本体Ａを構成している。
【００１５】
ここで、上記各要素１２，１３，１４，１５，１６の平面視形状は方形状に形成され、また折目ａ，ｂは互い平行に形成され、さらに折目ｄ，ｃ，ｅはほぼ一直線上に並ぶように形成されている。この実施例では上記折目ａ〜ｅとしてミシン目を採用したが、非ミシン目構造の通常の折目であってもよい。
【００１６】
上述の主板１１には組立時に容器内面となる側へ突出するように環状リブ１７が設けられ、この環状リブ１７の長手方向には略鋸歯状の凹凸部１８を一体形成して、物品を収納する一列の収納列Ｙを形成している。
【００１７】
また、上述の環状リブ１７の長手方向相互間を連結するように複数かつ平行の補助リブ１９…を一体形成している。これらの各補助リブ１９は断面門形に形成されている。
上述の環状リブ１７、補助リブ１９および凹凸部１８により主板１１の強度向上(剛性向上)を図るように構成している。
【００１８】
図１、図２から明かなように一方の側板１２と、他方の側板１３とは対称構造に形成されている。
すなわち、これら側板１２，１３には組立時に容器内面となる側へ突出するように枠状リブ２０を設け、この枠状リブ２０の内側の枠状凹部２１を介して方形状の座面２２を一体形成している。なお、この実施例では座面２２のトップデッキ面と枠状リブ２０のトップデッキ面とが同一高さになるように設定しているが、これに限定されるものではない。
【００１９】
而して、この座面２２には容器組立時に対向方向(容器の内方側)へ突出するように複数かつ平行な区画部としての区画リブ２３…を等間隔に形成している。この実施例では上記各区画リブ２３…は側板１２，１３の幅方向に平行に形成され、区画リブ２３，２３相互間の複数の凹部２４…(図８参照)は上記略鋸歯状の凹凸部１８におけるそれぞれの凹部１８ａ(図８参照)と一致するものである。
【００２０】
上述の枠状リブ２０および複数の区画リブ２３により一方および他方の各側板１２，１３の強度向上を図るように構成している。
また上述の側壁１５は図１、図２に示すように、該側壁１５のコーナ部またはコーナ部近傍に組立時に容器内面となる側へ突出する断面門形の係止部２５が合計４個設けられると共に、線分状の係止ビード２６が平行に２条設けられ、また２つの円形の開口部２７，２７が形成され、一方の側板１２の一端部の側壁１５と他端部の側壁１５とは対称になるように構成され、上述の係止部２５および係止ビード２６により該側壁１５の強度向上を図るように構成している。
【００２１】
さらに上述の側壁１６は、図１、図２に示すように、該側壁１６のコーナ部またはコーナ部近傍に組立時に容器内面となる側へ突出する断面形状門計の係入部２８が合計４個設けられると共に、線分状の係入ビード２９が平行に２条設けられ、また２つの円形の開口部３０，３０が形成され、他方の側板１３の一端部の側壁１６と他端部の側壁１６とは対称になるように構成され、上述の係入部２８および係入ビード２９により該側壁１６の強度向上を図るように構成している。
【００２２】
しかも他方の側壁１６側の係入部２８は一方の側壁１５側の係止部２５と対応し、同様に係入ビード２９は係止ビード２６と対応し、開口部３０は開口部２７と対応しており、図８で示すように一方の側壁１５の外側に他方の側壁１６を重合させた時、係入部２８が係止部２５で係止され、係入ビード２９が係止ビード２６で係止され、かつ開口部３０は開口部２７と一致するように構成されている。また上記各要素１１〜３０が組立時に容器となるように展開状態に形成されたものである。
【００２３】
ところで、上述の一方の側板１２と他方の側板１３との容器組立時において開放側(折目ａ，ｂと反対の側)で、かつ容器内面となる側には、それぞれ補強部材Ｂ，Ｂが一体的に設けられるが、図３、図４を参照して、この補強部材Ｂの構造について説明すると共に、図５、図６、図７を参照して、この補強部材Ｂの側板１２，１３に対する取付け構造(一体化構造)について説明する。
なお、一方の側板１２に設けられる補強部材Ｂと、他方の側板１３に設けられる補強部材Ｂとは対称構造に形成される。
【００２４】
上述の補強部材Ｂは図３に示すように、側板１２，１３の長手方向に沿う連続した細長い長方形状に構成されている。
そして、この補強部材Ｂは細長い長方形状の取付け座面３１の四周に断面門形状の環状リブ３２が一体形成されており、この環状リブ３２の外面側には該リブ３２の内方へ窪む凹状の補強リブ３３が所定の間隔を隔てて複数形成されている。
【００２５】
また環状リブ３２の長手方向の頂面には、該頂面のほぼ中間部から該リブ３２の下方へ窪む連続した凹状の補強リブ３４が一体形成されている。
【００２６】
さらに環状リブ３２の両端部の頂面には、容器組立時において係止部２５との干渉を回避する目的で凹部３５が形成されており、上述の環状リブ３２、補強リブ３３，３４および凹部３５の各要素により、補強部材Ｂそれ自体の強度向上(剛性向上)を図るように構成している。
【００２７】
なお、図１、図２においては図示の便宜上、各補強リブ３３，３４を省略して、補強部材Ｂを簡略的に示している。
しかも、上述の取付け座面３１には所定の間隔を隔てて複数の孔部３６が形成されると共に、これら各孔部３６と対応するように上述の環状リブ３２の少なくとも一方の内面側にはリブ３２内方へ窪む凹部３７が設けられている。
【００２８】
一方、側板１２，１３において上述の各孔部３６と対応する部分には凸部４０(内部中空状の凸部)が一体形成されている。
次に図５、図６、図７を参照して補強部材Ｂの側板１２，１３に対する取付け構造(一体化構造)について説明する。
【００２９】
まず、図５に示すように側板１２，１３側の凸部４０と補強部材Ｂ側の孔部３６とが上下方向に対向するように側板１２，１３上に補強部材Ｂを配設する。
次に図６に示すように補強部材Ｂを下動させて、凸部４０を孔部３６内に挿入させる。換言すれば孔部３６を凸部４０の外周部に装着し、側板１２，１３の面上に取付け座面３１を配置する。
【００３０】
次に図７に示すように孔部３６から上方へ突出した凸部４０の上部を加圧変形させて、かしめ部４０ａを形成し、このかしめ部４０ａにて側板１２，１３に補強部材Ｂを一体的に取付けると、図２の如くなる。
【００３１】
この際、上述の環状リブ３２に形成した凹部３７により、加圧変形に用いるかしめ具の充分な挿入スペースを確保することができる。また上述の加圧変形は熱を何等加えることなく、加圧力のみで行なうことができる。さらに補強部材Ｂを側板１２，１３に一体化した時、物品の出し入れを阻害しないように環状リブ３２の高さが設定されている。
【００３２】
このように構成した展開状態の容器構造を組立てて図８に平面図で示すような箱形の容器と成すには、まず図２に示す状態から主板１１の四辺部の折目ａ，ｂ，ｃ，ｃに沿って側板１２，１３および舌片１４，１４を直角状に折曲げ、次に、一方の側板１２の両端部の折目ｄ，ｄに沿って側壁１５，１５を直角状に折曲げ、次に、他方の側板１３の両端部の折目ｅ，ｅに沿って側壁１６，１６を折曲げ、さらに、図８に示すように側壁１６の係入部２８を側壁１５の係止部２５に係合させると共に、係入ビード２９を係止ビード２６に係合させると、同図に示す如く上面が開放された箱形の容器４１となる。
【００３３】
この容器４１の組立完了時には一方の側板１２の区画リブ２３と他方の側板１３の区画リブ２３とが互に対向すると共に、区画リブ２３，２３間の凹部２４も互に一致するように対向し、かつ該凹部２４と主板１１側の略鋸歯状の凹凸部１８における凹部１８ａとが互に一致する。また、上述の複数の区画リブ２３は収納物品の出し入れ方向に指向する。
【００３４】
したがって、区画リブ２３，２３間の凹部２４と略鋸歯状の凹凸部１８の凹部１８ａとの間に、図８に仮想線で示すようにタッチパネルその他の物品Ｘを区画収納することができる。
【００３５】
以上要するに、図１〜図８で示した実施例の容器構造は、物品Ｘが収納される少なくとも一列の収納列Ｙを有する主板１１と、上記主板１１の相対向する一側に折目ａ，ｂを介して連設された一方の側板１２および他方の側板１３と、上記主板の相対向する他側または上記各側板１２，１３の両端部に折目ｄ，ｅを介して連設された側壁と１５，１６を備えた容器本体Ａを設ける一方、上記一方の側板１２および他方の側板１３には容器本体Ａと別部材よりなる補強部材Ｂが一体的に設けられ、上記補強部材Ｂを有する容器本体Ａが組立時に容器４１(図８参照)となるよう樹脂板から展開状態に形成されたものである。
【００３６】
この構成により、保管時および輸送時には箱形に組立てない展開状態と成しておくことにより、嵩高くならないため、保管、輸送コストの低減を図ることができる。
また、樹脂板から一度に箱形に成形することなく、展開状態に形成するため、抜き勾配が不要で、かつ偏肉の発生がなくなる。
【００３７】
しかも、上述の一方の側板１２および他方の側板１３には容器本体Ａとは別部材の補強部材Ｂを一体的に設けたので、側板１２，１３の強度向上を図ることができ、延いては充分な容器４１強度の向上を図ることができる。
また上述の補強部材Ｂは容器本体Ａとは別部材であるため、該補強部材Ｂの肉厚の設定および使用する材料の設定自由度が向上する。つまり、容器本体Ａと肉厚の異なる材料を用いてもよく、異なる樹脂を用いてもよい。
【００３８】
さらに、主板１１の両側の折目ａ，ｂを介して一方の側板１２および他方の側板１３を折曲げ、次いで折目ｄ，ｅを介して側壁１５，１６を折曲げると、箱形の容器４１(図８参照)に組立てられるので、物品Ｘ収納用の容器４１として用いることができる。
【００３９】
さらに、組立時に対向する上記一方の側板１２と他方の側板１３との対向部には収納物品Ｘに対応する区画部(区画リブ２３参照)が形成されたものである。
この構成により、区画部(区画リブ２３参照)を両して物品Ｘを区画収納することができるのは勿論、この区画部(区画リブ２３参照)がリブ(補強部)として作用するので、より一層良好な容器強度を確保することができる。
【００４０】
加えて、上記補強部材Ｂは一方の側板１２と他方の側板１３の長手方向に沿って連続して設けられたものである。
この構成により、一方の側板１２は１つの補強部材Ｂで補強され、他方の側板１３は他の１つの補強部材Ｂで補強されるので、補強部材Ｂの使用数量低減を図りつつ、各側板１２，１３の長手方向のほぼ全長を補強することができる。
【００４１】
しかも、上記補強部材Ｂには複数のリブ(環状リブ３２、補強リブ３３，３４のうちの少なくとも１つ)が一体形成されたものである。
この構成により、複数のリブによって補強部材Ｂそれ自体の強度向上を図ることができるので、側板強度、容器強度および箱強度をさらに向上させることができる。
【００４２】
さらに、上記一方の側板１２と他方の側板１３とには凸部４０が設けられ、上記補強部材Ｂには上記凸部４０に装着する孔部３６が設けられ、上記凸部４０を孔部３６に挿入し、孔部３６から突出した凸部４０を加圧変形させて形成したかしめ部４０ａにより、側板１２，１３に対して補強部材Ｂを一体的に取付けられたものである。
【００４３】
この構成により、凸部４０の加圧変形、所謂かしめ加工に側板１２，１３と補強部材Ｂとを一体化することができるので、熱溶着や接着等の他の手段によることなく、これら両者の一体化が達成でき、また凸部４０と孔部３６とにより位置決めを行なうこともできるので、補強部材Ｂを所定位置に正確に取付けることができる。
【００４４】
図９は補強部材の他の実施例を示し、複数の孔部３６を有する取付け座面３１に容器の組立時に容器内方へ突出する断面門形の補強リブ４２…が一直線上に並ぶように一体形成したものである。
【００４５】
このように構成しても、図１０に示すように前述のかしめ部４０ａにて補強部材Ｂを側板１２，１３と一体化することができ側板強度、容器強度および箱強度のさらなる向上を図ることができる。なお、上述の補強リブ４２は図示の一列構造に代えて、２列構造と成してもよい。
【００４６】
図１１は容器構造さらに他の実施例を示し、主板１１は物品が収納される複数列の収納列Ｙ…を有し、この主板１１の相対向する一側に折目ａ，ｂを介して一方の側板１２と他方の側板１３とを連設し、主板１１の相対向する他側の折目Ｃ，Ｃを介して側壁４３，４４を連設したものである(但し、詳細構造は特願２００１−４８２００号参照)。
そして、上述の側板１２，１３に図３〜図７で示した構成の補強部材Ｂを一体化したものである。
【００４７】
このように、収納列Ｙを複数有する容器構造にあっては、容器の開口面積が大きくなるので、斯る容器構造の側板１２，１３に補強部材Ｂを一体化すると、より一層効果的である。
なお、図１１において前図と同一の部分には同一符号を付して、その詳しい説明を省略している。
【００４８】
この発明の構成と、上述の実施例との対応において、
この発明の区画部は、実施例の区画リブ２３に対応し、
以下同様に、
補強部材に一体形成された複数のリブは、環状リブ３２、補強リブ３３，３４または補強リブ４２のうちの少なくとも１つに対応するも、
この発明は、上述の実施例の構成のみに限定されるものではない。
【００４９】
例えば熱可塑性樹脂としてはＰＥＴ(ポリエチレンテレフタレート)に代えて、ＰＰ、ＰＥまたはＰＳやその他のＴＰ(Thermoplstics、熱可塑性樹脂)であってもよい。
また折目ａ〜ｅはミシン目構造のものに代えて、非ミシン目構造の一般的な折目であってもよい。
【００５０】
さらに収納物品Ｘは、例示したタッチパネルに限定されるものではなく、ＣＤ、ＦＤ、ＭＤやその他の各種の収納物品であってもよい。
さらには、上記区画リブ２３は物品出し入れ方向に連続状に延びる構成に代えて、物品出し入れ方向に不連続すなわち間欠状に形成された区画リブであってもよく、区画リブの形状はその他の任意の形状であってもよい。
また展開状態から箱形状に成す際には係合手段に代えて超音波や熱溶着その他の手段で接合してもよい。
【００５１】
【発明の効果】
この発明によれば、主板、側板および側壁を組立時に容器となるように展開状態に形成することにより、抜き勾配が不要かつ偏肉の発生がなく、容器強度を確保することができ、また嵩張らないので保管、輸送コストの低減を図ることができ、しかも容器本体とは別部材の補強部材を側板に一体的に設けることで、側板の強度向上を図り、延いては充分な容器強度の向上を図ることができる効果がある。
【図面の簡単な説明】
【図１】  本発明の容器構造を示す分解斜視図。
【図２】  補強部材を容器本体に取付けた状態の斜視図。
【図３】  補強部材の拡大斜視図。
【図４】  補強部材の拡大断面図。
【図５】  補強部材の取付け工程を示す説明図。
【図６】  孔部に対する凸部の挿入工程を示す説明図。
【図７】  凸部のかしめ工程を示す説明図。
【図８】  組立完了時の容器をその要部を断面して示す平面図。
【図９】  補強部材の他の実施例を示す拡大斜視図。
【図１０】  図９で示した補強部材と側板との一体化構造を示す断面図。
【図１１】  本発明の容器構造の他の実施例を示す展開平面図。
【図１２】  従来構造の説明図。
【符号の説明】
Ａ…容器本体
Ｂ…補強部材
Ｘ…物品
Ｙ…収納列
１１…主板
１２，１３…側板
１５，１６，４３，４４…側壁
２３…区画リブ
３２，３３，３４，４２…リブ
３６…孔部
４０…凸部
ａ〜ｅ…折目
【図１】
0004137400.tif 000002
【図２】
0004137400.tif 000003
【図３】
0004137400.tif 000004
【図４】
0004137400.tif 000005
【図５】
0004137400.tif 000006
【図６】
0004137400.tif 000007
【図７】
0004137400.tif 000008
【図８】
0004137400.tif 000009
【図９】
0004137400.tif 000010
【図１０】
0004137400.tif 000011
【図１１】
0004137400.tif 000012
【図１２】
0004137400.tif 000013